(57)【要約】【課題】本発明は、例えば、プリント基板に表面実装等されて、小型のメモリーカードを収納するスロットコネクタに関し、カード収納空間部に不正なカードの進入を阻止することが課題である。【解決手段】メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタ１において、前記誤挿入阻止手段は、前記収納空間部に本来収納されるべき正常なメモリーカードが収納されたときに該収納空間部から後退移動される弾性部材片から成る一対の係止部材５と、前記収納空間部において挿入方向の途中に配設され前記係止部材に係合して前記コンタクトへの進入を阻止する部材であって、前記一対の係止部材が収納空間部から後退移動されたときのみ該係止部材との係合が解除されて、進入してきたメモリーカードによって挿抜方向に移動されるスライドバー４とからなるものである。【選択図】　　図１
2004103408.tif 000002
【特許請求の範囲】
【請求項１】
メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、
前記誤挿入阻止手段は、
前記収納空間部に本来収納されるべき正常なメモリーカードが収納されたときに該収納空間部から後退移動される弾性部材片から成る一対の係止部材と、
前記収納空間部において挿入方向の途中に配設され前記係止部材に係合して前記コンタクトへの進入を阻止する部材であって、前記一対の係止部材が収納空間部から後退移動されたときのみ該係止部材との係合が解除されて、進入してきたメモリーカードによって挿抜方向に移動されるスライドバーとからなること、
を特徴とするスロットコネクタ。
【請求項２】
メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、
前記誤挿入阻止手段は、
前記収納空間部に本来収納されるべき正常なメモリーカードが収納されたときに該収納空間部から後退移動される弾性部材片から成る一対の係止部材と、
前記収納空間部において挿入方向の途中に配設され前記コンタクトへの進入を阻止する部材であって、前記一対の係止部材が収納空間部から後退移動されたときのみ該係止部材との係合が解除されて、進入してきたメモリーカードによって支持軸を中心に回動されコンタクト側への進入を許容するシャッターとからなること、
を特徴とするスロットコネクタ。
【請求項３】
メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、
前記誤挿入阻止手段は、
挿抜方向に摺動自在な部材であってその部材の一部が前記収納空間部に突出してメモリーカードの先端部に係合する押出し部材と、
前記押出し部材を常に挿抜方向に沿ってメモリーカードをコネクタの開口部側に付勢する弾性部材とからなること、
を特徴とするスロットコネクタ。
【発明の詳細な説明】
【０００１】
【発明の属する技術分野】
本発明は、例えば、プリント基板に表面実装等されて、小型のメモリーカードを収納するスロットコネクタに関する。
【０００２】
【従来の技術】
従来、カーナビゲーション、携帯電話、パーソナルコンピューター、ＰＤＡ、デジタルカメラ、携帯用音楽プレーヤー等に使用されるメモリーカードとして、メモリースティック（商標：図中にてＭＳと表記）がある。そして、このメモリースティックに画像データ若しくは音楽データ等を記録（例えば、８ＭＢ〜６４ＭＢ）し、それを再生装置に装着して画像再生若しくは音楽再生等を行うものである。
【０００３】
前記メモリースティック２は、図５（Ａ），（Ｂ）に示すように、その大きさが２１．５（幅）×２．８（厚み）×５０（奥行き）（ｍｍ）であるが、更なる機器の小型化のために、同様の性能を維持しつつメモリーカードを小型化したものに、図６（Ａ），（Ｂ）に示すように、メモリースティックデュオ（ＤＵＯと表記）６が形成されている。このカードの大きさは、その単体において、２０（幅）×１．６（厚み）×３１（奥行き）（ｍｍ）である。
【０００４】
前記メモリースティック２とメモリースティックデュオ６との両メモリーカードには、それぞれに、機器装置側のプリント基板の回路に電気的に接続させるため、カード挿着・脱着装置であるスロットコネクタ（図示せず）が用意されている（例えば、特許文献１参照。）。
【０００５】
【特許文献１】
特開２００１−２７３９４８号公報（第２頁乃至第４頁、第１図）
【０００６】
【発明が解決しようとする課題】
しかしながら、前記大きさの異なる２種類のメモリーカードのうち、いずれか一つのメモリーカードが収納・装着されて使用できるようにするスロットコネクタでは、前記小さい方のメモリースティックデュオが、大きい方のメモリースティック用のカード収納空間部に入り込む可能性がある（この逆は、物理的に不可能である）。このように大きさの異なるメモリーカードの誤挿入・誤装着を防止しなければならないという課題がある。本発明に係るスロットコネクタは、このような課題を解消するために提案されたものである。
【０００７】
【課題を解決するための手段】
上記課題を解決するために、本発明に係るスロットコネクタの要旨は、メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、前記誤挿入阻止手段は、前記収納空間部に本来収納されるべき正常なメモリーカードが収納されたときに該収納空間部から後退移動される弾性部材片から成る一対の係止部材と、前記収納空間部において挿入方向の途中に配設され前記係止部材に係合して前記コンタクトへの進入を阻止する部材であって、前記一対の係止部材が収納空間部から後退移動されたときのみ該係止部材との係合が解除されて、進入してきたメモリーカードによって挿抜方向に移動されるスライドバーとからなることである。
【０００８】
本発明に係るスロットコネクタの要旨は、メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、前記誤挿入阻止手段は、前記収納空間部に本来収納されるべき正常なメモリーカードが収納されたときに該収納空間部から後退移動される弾性部材片から成る一対の係止部材と、前記収納空間部において挿入方向の途中に配設され前記コンタクトへの進入を阻止する部材であって、前記一対の係止部材が収納空間部から後退移動されたときのみ該係止部材との係合が解除されて、進入してきたメモリーカードによって支持軸を中心に回動されコンタクト側への進入を許容するシャッターとからなることである。
【０００９】
本発明に係るスロットコネクタの要旨は、メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、前記誤挿入阻止手段は、挿抜方向に摺動自在な部材であってその部材の一部が前記収納空間部に突出してメモリーカードの先端部に係合する押出し部材と、前記押出し部材を常に挿抜方向に沿ってメモリーカードをコネクタの開口部側に付勢する弾性部材とからなることである。
【００１０】
本発明に係るスロットコネクタによれば、メモリーカードを挿脱自在に収納できる収納空間部に設けられた、スライドバー方式、シャッター方式、押出し方式の各種の誤挿入阻止手段により、例えば、ＭＳ用の収納空間に、当該ＭＳより大きさが小さいＤＵＯが挿入されると言うような、不正なメモリーカードの装着が防止される。
【００１１】
【発明の実施形態】
次に、本発明に係るスロットコネクタについて、図面を参照して説明する。
第１実施例は、図１に示すように、外カバーを取り外して示すスロットコネクタ１において、メモリースティック（ＭＳ）２を収納する収納空間部３において、スライドバー４と、係止部材であるスイッチスプリング５とから構成される誤挿入阻止手段が設けられている。
【００１２】
前記スライドバー４は、スロットコネクタ１の筐体における側壁枠体１ａ，１ｂに対して、挿抜方向に摺動自在に設けられている。また、図１（Ｃ）に示すように、その側部には係止用の凹部４ａ，４ｂが設けられている。このスライドバー４は、コイルスプリング等の弾性部材によって、常に開口部側に付勢されており、更に、所定の位置で移動停止するようにコネクタ筐体側には、ストッパーが設けられている。
【００１３】
前記スイッチスプリング５は、前記側壁枠体１ａ，１ｂの前方側に設けられたボス１ｃ，１ｄにＵ字状の基部５ａが係止され、該基部５ａから後方に直線状に延びる途中において、Ｕ字型に曲がったトラップ５ｂがその頂部を前記収納空間部３内に突出させて設けられている。更に、後方に延びた後端部５ｃは、Ｌ字型に曲げられている。この後端部５ｃが、前記スライドバー４の凹部４ａ，４ｂに各々係止するようになっている。このスイッチスプリング５は、組付けの際には前記側壁枠体１ａ，１ｂ内に弾発力に抗して窄められて、対向位置にして一対収納され、前記後端部５ｃが各々係止作用するように、常に拡開する方向に付勢するものである。
【００１４】
更に、対向した前記両トラップ５ｂは、収納空間部３内に突出されているが、その両トラップ頂部間の間隔は、メモリースティックデュオ（ＤＵＯと表記）６の幅とほぼ同じか、若干それより大きい幅に設定されている。但し、メモリースティック２の幅よりも狭いものである。
【００１５】
このような誤挿入阻止手段により、例えば、収納空間部３に、不正なメモリーカードであるメモリースティックデュオ６が開口部から挿入されると、そのメモリースティックデュオ６の先端部がスライドバー４の前端面に当接する。
【００１６】
前記メモリースティックデュオ６が収納空間部３に挿入されても、前記トラップ５ｂ，５ｂの頂部間の間隔が、当該メモリースティックデュオ６の幅とほぼ同じか、若干それより大きい幅であるので、一対のスイッチスプリング５，５を破線で示すように同時に外側に押し広げて後退移動させることができない。よって、後端部５ｃを凹部４ａ，４ｂから同時に係合解除させることができないので、スライドバー４を後方に押し込むことが不可能となり、このメモリースティックデュオ６がそれ以上、後方に進入することが阻止されるものである。
【００１７】
なお、正常なメモリースティック２が開口部から収納空間部３に挿入された場合には、該メモリースティック２の側壁によって、一対のスイッチスプリング５，５が同時に拡開されて収納空間部３から後退移動され、後端部５ｃが凹部４ａ，４ｂから外れて係合解除される。よって、当該メモリースティック２とともにスライドバー４が後方に摺動して移動する（図１（Ａ）に示すように、破線で示す位置）。その後、メモリースティック２はプッシュ−プッシュタイプのスイッチを押し込みながら所定の位置に装着されて、コンタクトＡに接続されるものである。更に、メモリースティック２を後方に押し込むと前記プッシュ−プッシュタイプのスイッチにより開口部側に押し戻されて取出しが可能となり、同時に、スライドバー４も開口部側に押し戻されて図１（Ａ）に示すように所定の位置に移動停止する。
【００１８】
なお、前記スロットコネクタ１は、収納空間部３がメモリースティック２用の一つの場合で説明したが、これに限らず、図２に示すように、メモリースティック２用とメモリースティックデュオ６用との二つの収納空間部３，８を備えたスロットコネクタ７においても同様に適用できるものである。
【００１９】
スロットコネクタ１ｃに係る第２実施例は、図３（Ａ）に示すように、誤挿入阻止手段として、収納空間部３に本来収納されるべき正常なメモリーカードが収納されたときに該収納空間部３から後退移動される弾性部材片から成る一対の係止部材であるスイッチスプリング９，９と、前記収納空間部３において挿入方向の途中に配設されコンタクトＡへの進入を阻止する部材であって、前記一対のスイッチスプリング９，９が収納空間部３から後退移動されたときのみ該スイッチスプリング９，９との係合が解除されて、進入してきたメモリーカードによって支持軸１０を中心に回動されコンタクトＡ側への進入を許容するシャッター１１とからなる。
【００２０】
前記一対のスイッチスプリング９，９は、前記第１実施例におけるスイッチスプリング５，５と同様の位置関係に対称にして対向配設され、同様の作用をするものであり、図３（Ｂ）に示すように、収納空間部３に頂部９ａ突出するトラップ９ｂが設けられ、後端部９ｃが係合部となっている。
【００２１】
前記シャッター１１は、スロットコネクタ１ａの筐体側に設けられた支持軸１０を中心にアーム部１１ａによって回動自在に設けられている。そして、前記アーム部１１ａの端部に、係合用突起１１ｂが外側に向けて突設されている。この突起１１ｂに前記後端部９ｃが係合していると、シャッター１１が支持軸１０を中心に回転できないものである。なお、シャッター１１は、トーションバネなどの復帰手段により、常に元に戻るようになっている。
【００２２】
このような誤挿入阻止手段により、メモリースティック２用の収納空間部３に、メモリースティックデュオ６が挿入されても、前記トラップ９ｂ，９ｂの頂部９ａ間の間隔が、当該メモリースティックデュオ６の幅とほぼ同じか、若干それより大きい幅であるので、一対のスイッチスプリング９，９を破線で示すように同時に外側に押し広げて後退移動させることができない。よって、後端部９ｃを係合用突起１１ｂから同時に係合解除させることができないので、シャッター１１が支持軸１０を中心に回転することができず、このメモリースティックデュオ６に当接したままとなって、それ以上、メモリースティックデュオ６が後方に進入するのを阻止する。
【００２３】
メモリースティック２が収納空間部３に挿入された場合には、前記スイッチスプリング９，９が同時に拡開されて後退移動し、後端部９ｃと突起１１ｂとの係合が解除され、シャッター１１が回転して後方への移動が許容される。プッシュ−プッシュタイプのスイッチで開口部側にメモリースティック２が押し戻されるのは第１実施例と同様である。
【００２４】
スロットコネクタ１ｄに係る第３実施例は、図４に示すように、誤挿入阻止手段として、挿抜方向に摺動自在な部材であってその部材の一部が前記収納空間部３に突出してメモリーカードの先端部に係合する押出し部材１２と、前記押出し部材を１２常に挿抜方向に沿ってメモリーカードをコネクタの開口部側に付勢する弾性部材であるスプリング１３とからなるものである。
【００２５】
前記押出し部材１２は、ハート型カム溝を側壁に有しており、後方の正規の位置にに押し込まれると、プッシュ−プッシュタイプのスイッチの一部を構成するロック部材（図示せず）でその位置にロックされ、更に押し込まれるとロック作用が解除されて、元の位置に戻るものである。よって、収納空間部３にメモリースティックデュオ６が挿入されても、該メモリースティックデュオ６はメモリースチティック２よりも挿抜方向の長さが短いことから、メモリースティックデュオ６の後端部を本体側面Ｂまで後方に押し込んでも、正規の位置にまで前記押出し部材１２が届かなくロックされない。そして、前記メモリースティックデュオ６を押し込んだ手を離すと、開口部側へ前記押出し部材１２によって押し戻される。こうしてメモリースティックデュオ６の誤挿入が阻止される。
【００２６】
また、メモリースティック２を収納空間部３に挿入した場合には、前記押出し部材１２が後方の正規の位置まで押し込まれるので、前記ロック部材によりその位置でロックされる。更に後方に押し込むと、ロック解除されて、開口部側に前記押出し部材１２により押し戻される。
【００２７】
【発明の効果】
上記説明したように、本発明に係るスロットコネクタは、メモリーカードを挿脱自在に収納できる収納空間部を有し、前記収納空間部の一端部側に接続用のコンタクトが併設され、前記収納空間部には形状の小さい不正なメモリーカードの挿入を阻止する誤挿入阻止手段が設けられているスロットコネクタにおいて、前記誤挿入阻止手段は、前記収納空間部に本来収納されるべき正常なメモリーカードが収納されたときに該収納空間部から後退移動される弾性部材片から成る一対の係止部材と、前記収納空間部において挿入方向の途中に配設され前記係止部材に係合して前記コンタクトへの進入を阻止する部材であって、前記一対の係止部材が収納空間部から後退移動されたときのみ該係止部材との係合が解除されて、進入してきたメモリーカードによって挿抜方向に移動されるスライドバーとからなるので、不正なメモリーカードを後方へ所定位置以上に押し込むことができなくなり、誤挿入であることが直ちに判断されるものである。
【００２８】
また、前記誤挿入阻止手段は、前記収納空間部に本来収納されるべき正常なメモリーカードが収納されたときに該収納空間部から後退移動される弾性部材片から成る一対の係止部材と、前記収納空間部において挿入方向の途中に配設され前記コンタクトへの進入を阻止する部材であって、前記一対の係止部材が収納空間部から後退移動されたときのみ該係止部材との係合が解除されて、進入してきたメモリーカードによって支持軸を中心に回動されコンタクト側への進入を許容するシャッターとからなるので、この場合も不正なメモリーカードを後方へ所定位置以上に押し込むことができなくなり、誤挿入であることが直ちに判断されるものである。また、シャッターを支持軸で回転させるだけなので簡易な構成となる。
【００２９】
更に、前記誤挿入阻止手段は、挿抜方向に摺動自在な部材であってその部材の一部が前記収納空間部に突出してメモリーカードの先端部に係合する押出し部材と、前記押出し部材を常に挿抜方向に沿ってメモリーカードをコネクタの開口部側に付勢する弾性部材とから構成することができて、プッシュ−プッシュタイプのスイッチの一部と兼用させて、容易に構成することができる。
【図面の簡単な説明】
【図１】第１実施例に係るスロットコネクタ１の、カバーを外した平面図（Ａ）、同正面図（Ｂ）、スライドバー４の斜視図（Ｃ）である。
【図２】他の実施例に係るスロットコネクタ７の平面図（Ａ）、側面図（Ｂ），（Ｃ）、正面図（Ｄ）である。
【図３】同第２実施例に係るスロットコネクタ１ｃの平面図（Ａ）、スイッチスプリング９の平面図（Ｂ）である。
【図４】同第３実施例に係るスロットコネクタ１ｄの平面図である。
【図５】大きさの異なる２種類のメモリーカードの内、大形のメモリーカードであるメモリースティック２の断面図（Ａ）と、平面図（Ｂ）である。
【図６】大きさの異なる２種類のメモリーカードの内、小形のメモリーカードであるメモリースティックデュオ６の断面図（Ａ）と、平面図（Ｂ）である。
【符号の説明】
１　　　　　スロットコネクタ、　　　１ａ，１ｂ　　側壁枠体、
１ｃ，１ｄ　ボス、　　　　　　　　　２　　　　　　メモリースティック、
３　　　　　収納空間部、　　　　　　４　　　　　　スライドバー、
４ａ，４ｂ　凹部、　　　　　　　　　５　　　　　　スイッチスプリング、
５ａ　　　　基部、　　　　　　　　　５ｂ　　　　　トラップ、
５ｃ　　　　後端部、
６　　　　　メモリースティックデュオ、７　　　　　スロットコネクタ、
８　　　　　収納空間部、　　　　　　９　　　　　　スイッチスプリング、
１０　　　　支持軸、　　　　　　　　　　　　　　　　１１　　　　　　シャッター、
１２　　　　押出し部材、　　　　　　１３　　　　　スプリング。
【図１】
2004103408.tif 000003
【図２】
2004103408.tif 000004
【図３】
2004103408.tif 000005
【図４】
2004103408.tif 000006
【図５】
2004103408.tif 000007
【図６】
2004103408.tif 000008